(57)【要約】【課題】導光部材の出射端部と光変換部材とが互いに安定的且つ高精度に位置決めされ、量産時において品質のばらつきを低減でき、所望の光学特性を得られる光学デバイスを提供すること。【解決手段】光学デバイス１０において、位置制御手段８０は、光軸１１方向において相対位置を制御する光軸方向制御手段８１と、径方向において相対位置を制御する径方向制御手段８３と、傾斜方向において相対位置を制御する傾斜方向制御手段８５とを有している。【選択図】      図１Ａ
2014174192.tif 000002
【特許請求の範囲】
【請求項１】
１次光を出射する出射部を有しており、前記１次光を導光する導光ユニットと、
前記導光ユニットによって導光されて前記出射部から出射された前記１次光が入射する入射部と、前記入射部から離間して配設され、前記入射部から入射された前記１次光を照射されることによって、前記１次光とは異なる２次光を生成する生成部材とを有しており、前記２次光を照明光として観察対象物に照明する照明ユニットと、
前記出射部と前記入射部とが互いに光学的に接続するように、前記導光ユニットと前記照明ユニットとを保持する保持部と、
前記出射部と前記生成部材との相対位置を制御する位置制御手段と、
を具備し、
前記出射部が出射する前記光の中心軸方向を光軸方向と称し、
前記光軸方向に直交する方向を径方向と称し、
前記光軸方向に傾斜する方向を傾斜方向と称し、
前記位置制御手段は、
前記光軸方向において前記相対位置を制御する光軸方向制御手段と、
前記径方向において前記相対位置を制御する径方向制御手段と、
前記傾斜方向において前記相対位置を制御する傾斜方向制御手段と、
を有することを特徴とする光学デバイス。
【請求項２】
前記光軸方向制御手段は、前記入射部を有するように前記光軸方向において前記入射部と前記生成部材との間に配設されており、前記光軸方向における前記相対位置を所望に制御する光軸方向制御部材を有することを特徴とする請求項１に記載の光学デバイス。
【請求項３】
前記光軸方向制御部材は、前記光軸方向において前記出射部と前記生成部材とに光学的に接続し前記出射部と前記生成部材とによって挟持されるように、前記光軸方向において前記出射部と前記生成部材との間に介在していることを特徴とする請求項２に記載の光学デバイス。
【請求項４】
前記出射部から出射される前記１次光が前記生成部材を照射する際に、前記光軸方向において、前記光軸方向制御部材は、少なくとも前記１次光の高強度成分が前記生成部材に進入するような長さＬ１を有していることを特徴とする請求項３に記載の光学デバイス。
【請求項５】
前記１次光が所望の広がり角度で前記出射部から出射されて前記生成部材を照射する際に、前記光軸方向において、前記光軸方向制御部材は、前記生成部材における前記１次光の強度分布が前記２次光を生成する際の前記生成部材の耐熱温度を超えないような長さＬ１を有していることを特徴とする請求項３に記載の光学デバイス。
【請求項６】
前記光軸方向制御部材は、ガラスを有することを特徴とする請求項４または請求項５に記載の光学デバイス。
【請求項７】
前記径方向制御手段と前記傾斜方向制御手段とは、
前記導光ユニットの前記出射部と、
前記保持部に配設され、少なくとも前記導光ユニットの前記出射部が嵌合する導光嵌合部と、
前記光軸方向制御部材の一部と、
前記保持部に配設され、前記光軸方向制御部材の前記一部が嵌合する本体嵌合部を有する収容部と、
を有し、
前記出射部と前記入射部とが互いに光学的に接続するように、前記導光嵌合部と前記収容部と前記出射部と前記入射部と前記光軸方向制御部材とは互いに同軸上に配設されていることを特徴とする請求項２に記載の光学デバイス。
【請求項８】
前記光軸方向制御部材の前記一部が前記本体嵌合部と嵌合することによって、前記径方向制御手段は前記径方向において前記相対位置を位置決めし、前記傾斜方向制御手段は前記傾斜方向において前記相対位置を位置決めすることを特徴とする請求項７に記載の光学デバイス。
【請求項９】
前記本体嵌合部は、前記収容部の一部に配設されており、
前記収容部は、前記収容部の他部に配設されており、前記光軸方向において、前記本体嵌合部と連通している挿入収容部をさらに有し、
前記光軸方向制御部材は、
前記入射部を有し、前記光軸方向制御部材の前記一部に配設され、前記本体嵌合部に嵌合する本体部と、
前記本体部と同軸上に配設されるように前記本体部と一体化しており、前記生成部材と光学的に接続するように前記光軸方向制御部材の他部に配設されており、前記挿入収容部に挿入される挿入部と、
を有することを特徴とする請求項８に記載の光学デバイス。
【請求項１０】
前記本体部は、円柱形状を有し、
前記挿入部は、前記光軸方向において前記本体部から前記生成部材に向かって拡径する円錐台形状を有することを特徴とする請求項９に記載の光学デバイス。
【請求項１１】
前記本体嵌合部は、前記導光嵌合部と連通し、前記挿入部よりも小さく、
前記挿入収容部は、前記挿入部よりも大きいことを特徴とする請求項１０に記載の光学デバイス。
【請求項１２】
前記本体嵌合部は、円柱形状を有し、
前記挿入収容部は、前記光軸方向において、前記本体嵌合部が配設される前記収容部の先端部から前記収容部の基端部に向かって拡径する円錐台形状を有することを特徴とする請求項１１に記載の光学デバイス。
【請求項１３】
前記収容部は、前記挿入収容部の内周面に配設されており、前記２次光を反射する反射部材を有することを特徴とする請求項１２に記載の光学デバイス。
【請求項１４】
前記光軸方向制御部材は、前記挿入部に配設されており、前記生成部材が係合する係合凹部を有し、
前記係合凹部の中心軸は、前記生成部材の中心軸が前記光軸方向制御部材の中心軸上に配設されるように、前記光軸方向制御部材の中心軸上に配設されていることを特徴とする請求項１３に記載の光学デバイス。
【請求項１５】
前記光軸方向制御部材が前記収容部に挿入された際に、円柱形状の前記本体部は、前記生成部材の中心軸が前記光軸上に配設されるように、前記収容部の円柱形状の前記本体嵌合と嵌合することを特徴とする請求項１４に記載の光学デバイス。
【請求項１６】
前記本体部の直径は、前記出射部の直径よりも大きく、前記生成部材の直径よりも小さいことを特徴とする請求項１５に記載の光学デバイス。
【請求項１７】
円錐台形状の前記挿入部と、前記挿入部よりも大きく、前記挿入部が挿入される円錐台形状の前記挿入収容部とにおいて、
前記挿入収容部の内周面と前記挿入部の外周面との間に隙間部が形成されるように、前記挿入収容部のテーパ角度θ１は前記挿入部のテーパ角度θ２よりも大きいことを特徴とする請求項１５に記載の光学デバイス。
【請求項１８】
前記生成部材は、１次光の配光を変換する配光変換部材と、１次光の波長を変換する波長変換部材と、前記配光変換部材と前記波長変換部材とが互いに混合することによって成形される混合物と、前記配光変換部材と前記波長変換部材との一方が他方に積層することによって成形される積層物との少なくとも１つを有することを特徴とする請求項７に記載の光学デバイス。
【発明の詳細な説明】
【技術分野】
【０００１】
本発明は、導光ユニットと照明ユニットとを有する光学デバイスに関する。
【背景技術】
【０００２】
近年、様々な光学デバイスが開示されている。光学デバイスの一例として、光学デバイスは、小型の個体光源から出射された光を導光する光ファイバ等の導光部材と、導光部材の出射端部に配設され、導光部材によって導光された光を波長変換や散乱させて、光を所望の照射パターンや色に変化させる光変換部材とを有している。
【０００３】
このような光学デバイスは、例えば、特許文献１に開示されている。特許文献１において、光変換部材として機能する波長変換部材と、光を効率よく取り出すためリフレクタと、リフレクタの形状と、波長変換部材とリフレクタとの位置関係とが記載されている。
【０００４】
特許文献１では、励起光が光ファイバの出射端部から出射されて波長変換部材を照射する際に、励起光が波長変換部材によって波長変換された光である照明光が全方位に発生することに着目しており、この全方位に発生する照明光を、所望する方向へ効率よく取り出す構造を提案している。  
具体的には、光ファイバの出射端部が波長変換部材に対して離間するとともに、出射端部と波長変換部材とこれらの離間部分との周囲にテーパ型のリフレクタが配設されている。出射端部とリフレクタと波長変換部材とのために、出射端部を含む光ファイバを保持するフェルールと、テーパ形状の貫通口を有し、テーパ形状の内周面にリフレクタが配設されているホルダとが配設されている。また波長変換部材を内部に保持し、貫通口と略同一のテーパ形状を有し、テーパ形状の側面がホルダの内周面に当接するように貫通口に配設される光透過部材とがさら配設されている。
【０００５】
これらが組み立てられる際、波長変換部材を含む光透過部材が貫通口に配設され、光透過部材の側面がホルダの内周面に位置決め及び当接され、光透過部材は接着剤等によって固定される。その後、光ファイバを保持しているフェルールは、出射端部が光透過部材と当接して波長変換部材に対して相対的に位置決めされるように、ホルダに対して位置決めされ、固定される。
【先行技術文献】
【特許文献】
【０００６】
【特許文献１】特開２０１１−１２３３６８号公報
【発明の概要】
【発明が解決しようとする課題】
【０００７】
特許文献１において、光ファイバの出射端部と光変換部材との相対位置は、光透過部材とホルダとを介してアライメントされる。この場合、ホルダと光透過部材とが互いに接触し位置決めされる部分は、テーパ形状のホルダの内周面とテーパ形状の光透過部材の外周面とになる。このために、この部分において、例えば、ホルダと光透過部材とが互いに接触し引っかかってしまうこと等により、出射端部と光透過部材との間に間隙が生じたり、ホルダに対して光透過部材が傾いて固定される可能性がある。結果として、光変換部材が出射端部に対してずれてしまう。
【０００８】
このように、光変換部材が光ファイバの出射端部に対して高精度に相対的に位置決めされることは、容易ではなく、さらに安定的ではない。結果として、光学デバイスが量産される際、品質にばらつきが生じてしまう。そして、出射端部と光変換部材とが互いに相対的に位置ずれした場合、光学デバイスは、本来の照明性能を得られない虞がある。
【０００９】
本発明は、これらの事情に鑑みてなされたものであり、導光部材の出射端部と光変換部材とが互いに安定的且つ高精度に位置決めされ、量産時において品質のばらつきを低減でき、所望の光学特性を得られる光学デバイスを提供することを目的とする。
【課題を解決するための手段】
【００１０】
本発明は目的を達成するために、１次光を出射する出射部を有しており、前記１次光を導光する導光ユニットと、前記導光ユニットによって導光されて前記出射部から出射された前記１次光が入射する入射部と、前記入射部から離間して配設され、前記入射部から入射された前記１次光を照射されることによって、前記１次光とは異なる２次光を生成する生成部材とを有しており、前記２次光を照明光として観察対象物に照明する照明ユニットと、前記出射部と前記入射部とが互いに光学的に接続するように、前記導光ユニットと前記照明ユニットとを保持する保持部と、前記出射部と前記生成部材との相対位置を制御する位置制御手段と、を具備し、前記出射部が出射する前記光の中心軸方向を光軸方向と称し、前記光軸方向に直交する方向を径方向と称し、前記光軸方向に傾斜する方向を傾斜方向と称し、前記位置制御手段は、前記光軸方向において前記相対位置を制御する光軸方向制御手段と、前記径方向において前記相対位置を制御する径方向制御手段と、前記傾斜方向において前記相対位置を制御する傾斜方向制御手段と、を有することを特徴とする光学デバイスを提供する。
【発明の効果】
【００１１】
本発明によれば、導光部材の出射端部と光変換部材とが互いに安定的且つ高精度に位置決めされ、量産時において品質のばらつきを低減でき、所望の光学特性を得られる光学デバイスを提供することができる。
【図面の簡単な説明】
【００１２】
【図１Ａ】図１Ａは、本発明の第１の実施形態に係る光学デバイスを示す図である。
【図１Ｂ】図１Ｂは、光軸方向制御手段と径方向制御手段と傾斜方向制御手段とを含む照明ユニットの概略図である。
【図１Ｃ】図１Ｃは、径方向制御手段と傾斜方向制御手段とを含む保持部の概略図である。
【図１Ｄ】図１Ｄは、挿入収容部のテーパ角度θ１と、挿入部のテーパ角度θ２との関係を示す図である。
【図２Ａ】図２Ａは、光軸方向における１次光入射部と光変換部材との相対位置が制御され、照明ユニットが収容部に収容される状態を示す図である。
【図２Ｂ】図２Ｂは、光軸方向における１次光入射部と光変換部材との相対位置が制御され、本体部が本体嵌合部に嵌合する状態を示す図である。
【図２Ｃ】図２Ｃは、本体部が本体嵌合部に嵌合し、光軸方向と径方向と傾斜方向とにおける１次光入射部と光変換部材との相対位置が位置決めされた図である。
【図３】図３は、第１の実施形態に係る第１の変形例における光学デバイスを示す図である。
【発明を実施するための形態】
【００１３】
以下、図面を参照して本発明の実施形態について詳細に説明する。  
図１Ａと図１Ｂと図１Ｃと図１Ｄと図２Ａと図２Ｂと図２Ｃとを参照して第１の実施形態について説明する。なお一部の図面では、図示の明瞭化のために、部材の図示を省略している。  
また以下において、１次光出射部２１ａが出射する１次光の中心軸を光軸１１と称する。
また１次光の中心軸方向を、光軸１１方向と称する。また光軸１１方向において、光ファイバ２１側を後方と称し、光変換部材４３側を前方と称する。  
また光軸１１方向に直交する方向を、径方向と称する。  
また光軸１１方向に傾斜する方向を、傾斜方向と称する。
【００１４】
［光学デバイス１０］  
図１Ａに示すように、光学デバイス１０は、１次光を導光する導光ユニット２０と、導光ユニット２０によって導光された１次光を基に１次光とは異なる２次光を生成し、２次光を照明光として観察対象物に照明する照明ユニット４０と、導光ユニット２０と照明ユニット４０とを保持する保持部６０とを有している。
【００１５】
［導光ユニット２０］  
導光ユニット２０が導光する１次光において、１次光は、半導体レーザ等の図示しない光源部から出射される。１次光は、例えば、波長が例えば４００ｎｍ付近の青紫色のレーザ光である。
【００１６】
図１Ａに示すように、導光ユニット２０は、導光部材である例えば光ファイバ２１を有している。光ファイバ２１は、図示しない光ファイバ２１の一端部に配設され、光源部から出射された１次光が入射する図示しない入射部と、光ファイバ２１の他端部に配設され、１次光を出射する１次光出射部２１ａとを有している。１次光出射部２１ａは、光ファイバ２１の他端部が光ファイバ２１の中心軸（光軸１１方向）に対して直交する平面として形成されている。図示しない入射部は光源部と光学的に接続し、１次光出射部２１ａは照明ユニット４０と光学的に接続する。光ファイバ２１は、入射部から１次光出射部２１ａまで１次光を導光する。そして、１次光は、１次光出射部２１ａから所望な広がり角度で出射される。
【００１７】
このような光ファイバ２１は、例えば、柔軟性と可撓性とを有しており、湾曲可能であり、円柱形状を有している。光ファイバ２１は、１次光を効率よく導光する光学特性を有しており、例えば、ガラスやプラスチックによって形成される。光ファイバ２１は、例えばマルチモードファイバの光ファイバ２１である。例えば、光ファイバ２１のコア径は５０μｍ、開口数ＮＡは０．２となっている。光ファイバ２１は、１次光が大きなエネルギーロスなく１次光出射部２１ａから前方に向けて出射されるように、１次光を高効率に前方に導光する光学特性を有している。このとき、１次光の出射角度は、光ファイバ２１の開口数や後述する光透過部材などの屈折率によって決まる。
【００１８】
また図１Ａに示すように、導光ユニット２０は、光ファイバ２１の大部分を覆う例えば樹脂製の被覆層２３であるジャケットを有している。この被覆層２３は、光ファイバ２１の一端部から光ファイバ２１の他端部側にまで配設されている。詳細には、他端部側において、被覆層２３は、保持部６０のガイド口部６３付近にまで配設されているのみであり、保持部６０の後述する導光嵌合部６１には挿入されない。このため光ファイバ２１の他端部は、被覆層２３から露出している。
【００１９】
［照明ユニット４０］  
図１Ａと図１Ｂとに示すように、照明ユニット４０は、１次光出射部２１ａと光学的に接続し、導光ユニット２０によって導光されて１次光出射部２１ａから出射された１次光が入射する１次光入射部４１と、１次光入射部４１から離間して配設され、１次光入射部４１から入射された１次光を照射されることによって、１次光の光学特性を変換し、１次光とは異なる照明光としての２次光を生成する生成部材である光変換部材４３と、２次光を照明ユニット４０の外部に出射する２次光出射部４５とを有している。  
また図１Ａと図１Ｂとに示すように、照明ユニット４０は、１次光入射部４１を有し、１次光と２次光とが透過するように、１次光入射部４１と光変換部材４３との間に配設され、さらに１次光入射部４１から２次光出射部４５の側方まで少なくとも一部が連続して配設されている光透過部材４７をさらに有している。  
照明ユニット４０に含まれるこれら部材は、光軸１１を中心軸として同心円状の形状を有し、光軸１１を中心に回転対称に配設されている。
【００２０】
［１次光入射部４１］  
図１Ａに示すように、１次光入射部４１は、１次光出射部２１ａが当接する光透過部材４７の後面４７ａの一部分に形成される。より詳細には、光透過部材４７において、１次光出射部２１ａが光学的に接続した後面４７ａの一部分が１次光入射部４１として形成される。この後面４７ａは、光軸１１方向において、例えば光透過部材４７の最も後方に配設されている平面を示す。１次光入射部４１と後面４７ａとは、光軸１１に対して直交して配設される。１次光入射部４１の中心軸は、光軸１１上に配設され、光透過部材４７の中心軸上に形成される。１次光入射部４１は、１次光出射部２１ａと略同一の形状と面積とを有している。１次光入射部４１は、２次光出射部４５よりも小さい。
【００２１】
［光変換部材４３（生成部材）］  
光変換部材４３は、例えば、１次光の波長を変えずに１次光の配光特性を所望に変換して、１次光の配光特性とは異なる配光特性を有する光である２次光を生成する。このように光変換部材４３は、１次光の配光特性を所望に変換する配光変換部材であり、２次光を生成する生成部材であり、１次光を照射されることで機能する光学部材である。  
なお光変換部材４３は、１次光の波長を所望に変換し、１次光の波長とは異なる波長を有する光である２次光を生成する波長変換部材として機能してもよい。
【００２２】
つまり光変換部材４３は、散乱などの配光変換特性と、波長変換特性との少なくとも少なくとも一方を有している。
【００２３】
配光変換特性を有する光変換部材４３の構成において、光変換部材４３は、例えばマイクロレンズアレイのような微小な凹凸が配設されている表面を有する部材によって形成されてもよいし、配光変換特性を有する粒子状の部材がガラスや透明樹脂にバインドされることで形成されてもよいし、配光特性を有する粒子状のガラスが透明樹脂に直接高圧に成形されることで形成されてもよい。
【００２４】
波長変換特性を有する光変換部材４３の構成において、光変換部材４３は、例えばセラミックのような剛体であってもよい。または、光変換部材４３は、波長変換特性を有する粒子状の部材がガラスや透明樹脂にバインドされることで形成されてもよいし、波長変換特性を有する粒子状の部材が直接高圧に成形されることで形成されてもよい。
【００２５】
光変換部材４３が配光変換特性と波長変換特性とのどちらか一方を有する場合、光変換部材４３は、前記した一方の構成を有する。
【００２６】
また光変換部材４３が配光変換特性と波長変換特性との両方を有する場合、光変換部材４３は、配光変換特性を有する粒子状の部材と波長変換特性を有する粒子状の部材とが混合してバインドまたは高圧に成形される混合物を有していればよい。または、光変換部材４３は、前記した一方の構成が光軸１１方向において他方の構成に積層することによって成形される積層物を有していればよい。さらに、配光変換特性および波長変換特性の両方を併せ持つ粒子状の部材がバインドまたは高圧に成形されていてもよい。
【００２７】
このように光変換部材４３は、配光変換部材と、波長変換部材と、配光変換部材と波長変換部材とが互いに混合することによって成形される混合物と、配光変換部材と波長変換部材との一方が他方に積層することによって成形される積層物との少なくとも１つを有している。
【００２８】
図１Ａと図１Ｂとに示すように、光変換部材４３は、略全ての１次光を照射されるように、１次光出射部２１ａと対向し、さらに１次光出射部２１ａよりも前方に配設されている。光変換部材４３は、光変換部材４３の中心軸が光軸１１上に配設されるように、配設される。
【００２９】
図１Ａと図１Ｂとに示すように、光変換部材４３は、例えば円柱形状を有している。このため光変換部材４３は、１次光出射部２１ａ及び１次光入射部４１と対向する円形の後面４３ａと、後面４３ａよりも前方に配設されている円形の前面４３ｂと、後面４３ａと前面４３ｂとの間に配設されている曲面状の周面４３ｃとを有している。なお光変換部材４３は、例えば円板形状を有していてもよい。
【００３０】
図１Ａと図１Ｂとに示すように、後面４３ａと前面４３ｂとは、光軸１１に対して直交して配設されている平面である。後面４３ａと前面４３ｂとにおいて、これらの中心軸は、光軸１１上に配設されている。
【００３１】
図１Ａに示すように、後面４３ａは、１次光出射部２１ａから離間して配設されている。詳細には、後面４３ａに形成される１次光のビームスポットが後面４３ａよりも小さく形成されるように、後面４３ａは１次光出射部２１ａ及び１次光入射部４１から離間して配設されている。後面４３ａは、１次光を照射される照射面として機能する。
【００３２】
周面４３ｃは、後述する反射部材６７から離間して配設されている。
【００３３】
前面４３ｂは、光透過部材４７の前面４７ｂと同一平面上に配設されている。前面４３ｂは、２次光出射部４５として機能する。
【００３４】
なお光変換部材４３の厚みと、前記した濃度とは、光変換部材４３が１次光をどの程度２次光に変換するかによって、所望に設定される。
【００３５】
［２次光出射部４５］  
図１Ａと図１Ｂとに示すように、２次光出射部４５は、光変換部材４３の前面４３ｂとして機能する。２次光出射部４５は、例えば、円形状を有している。２次光出射部４５は、２次光を照明光として出射する。
【００３６】
［光透過部材４７（光軸方向制御部材）］  
図１Ａと図１Ｂとに示すように、光透過部材４７は、１次光出射部２１ａと光学的に接続し、１次光出射部２１ａから出射された１次光が入射する１次光入射部４１を有する後面４７ａと、２次光を出射する２次光出射部４５が配設される前面４７ｂとを有している。１次光入射部４１を含む後面４７ａと、２次光出射部４５が配設される前面４７ｂとは、光透過部材４７の中心軸（光軸１１）に対して直交して配設されている平面である。
【００３７】
図１Ａと図１Ｂとに示すように、前面４７ｂは、後面４７ａよりも大きい。前面４７ｂにおいて、前面４３ｂを除く前面４７ｂの領域は、前面４３ｂの側方に配設されており、リング形状を有している。
【００３８】
また図１Ａに示すように、後面４７ａは、１次光出射部２１ａよりも大きい。このため、後面４７ａが１次光出射部２１ａと当接した際、当接部分、詳細には１次光出射部２１ａと光学的に接続する部分は、１次光入射部４１として形成される。つまり後面４７ａの一部は１次光入射部４１を兼ね、光透過部材４７は後面４７ａと１次光入射部４１とを兼有する。
【００３９】
このように光透過部材４７は、１次光入射部４１を有するように、光軸１１方向において１次光入射部４１と生成部材である光変換部材４３との間に配設されている。これにより光透過部材４７は、光軸１１方向における１次光出射部２１ａと光変換部材４３との相対位置を所望に制御する光軸方向制御部材として機能する。
【００４０】
そして、前記によって、光透過部材４７は、光軸１１方向において１次光出射部２１ａと光変換部材４３とに光学的に接続し、光軸１１方向において１次光出射部２１ａと光変換部材４３とによって挟持されるように、光軸１１方向において１次光出射部２１ａと光変換部材４３との間に介在していることなる。
【００４１】
なお一般的に、１次光が２次光に変換されず前面４７ｂから直接出射されると、アイセーフの観点において、目に対して危険性を有する。よって、１次光出射部２１ａから所望な広がり角度で出射される１次光において、少なくとも１次光の高強度成分は、光変換部材４３の後面４３ａに直接進行する必要がある。言い換えると、１次光のビームスポットが光変換部材４３の後面４３ａよりも小さくなり、このビームスポット全体が後面４３ａに収まる必要がある。なお前記した高強度成分とは、例えば１次光の光学的なエネルギの９９％の割合などを示す。  
このため、光軸１１方向において、１次光入射部４１を有する後面４７ａから後面４３ａまでの距離が所望の範囲内に収まる必要がある。この距離は、例えば、光ファイバ２１の開口数や、光源部の開口数や、光透過部材４７の屈折率や、光ファイバ２１のコアの直径や、光変換部材４３の直径などによって、設定される。  
このように本実施形態では、図１Ｂに示すように、１次光出射部２１ａから出射される１次光が光変換部材４３を照射する際に、光軸１１方向において、光透過部材４７は、少なくとも１次光の高強度成分が光変換部材４３に進入するような長さＬ１を有している。
【００４２】
なお前記距離が０に近く、後面４３ａが後面４７ａに近づきすぎてもよい、というわけではない。光変換部材４３が２次光を生成する際、一般的に光変換部材４３は発熱する。また一般的に、１次光出射部２１ａから出射された直後の１次光の密度は非常に高く、１次光の密度は１次光出射部２１ａから離れるほど低くなる。このため、後面４３ａが後面４７ａに近づくと、光変換部材４３が２次光を生成する際、光変換部材４３は、密度が非常に高い１次光によって多量に発熱し、多量の発熱によって劣化してしまう。この点を踏まえると、光変換部材４３における１次光の強度分布は、２次光を生成する際の光変換部材４３の耐熱温度を超えないことが肝要となる。  
よって本実施形態では、図１Ｂに示すように、１次光が所望の広がり角度で１次光出射部２１ａから出射されて光変換部材４３を照射する際に、光軸１１方向において、光変換部材４３における１次光の強度分布が２次光を生成する際の光変換部材４３の耐熱温度を超えないような長さＬ１を、光透過部材４７は有している。
【００４３】
また図１Ａと図１Ｂとに示すように、光透過部材４７は、例えば、光変換部材４３の中心軸と光透過部材４７の中心軸とが光軸１１上に配設され、光変換部材４３が１次光出射部２１ａから離間し、１次光のビームスポットが光変換部材４３の後面４３ａよりも小さくなり、後面４３ａが後面４７ａに対して光軸１１方向において平行に配設され、前面４３ｂが前面４７ｂと同一平面に配設され、光透過部材４７が前面４３ｂと周面４３ｃとを覆うように、光変換部材４３を有している。
【００４４】
このため図１Ａと図１Ｂとに示すように、光透過部材４７は、光変換部材４３が係合する係合凹部４７ｄを有している。係合凹部４７ｄは、前面４７ｂに対して後方に向かって凹設されている。係合凹部４７ｄの中心軸は、光変換部材４３の中心軸が光透過部材４７の中心軸上に配設されるように、光透過部材４７の中心軸上に配設されている。係合凹部４７ｄは光変換部材４３と略同一の大きさを有しており、光変換部材４３は係合凹部４７ｄに嵌め込まれる。よって、係合凹部４７ｄの底面には後面４３ａが設置される。そして、光軸１１方向における係合凹部４７ｄの長さ（係合凹部４７ｄの深さ）は、光軸１１方向において、１次光出射部２１ａと後面４３ａとの間の相対距離を制御することとなる。
【００４５】
なお光透過部材４７は、例えば、光変換部材４３の中心軸と光透過部材４７の中心軸とが光軸１１上に配設され、１次光のビームスポットが光変換部材４３の後面４３ａよりも小さくなれば、光変換部材４３が１次光出射部２１ａと後面４７ａと前面４７ｂとから離間し、光変換部材４３が光透過部材４７に埋設されるように、光変換部材４３を光透過部材４７の内部にて有していてもよい。
【００４６】
光透過部材４７において、１次光と２次光とが透過する。このため光透過部材４７は、１次光出射部２１ａから出射された１次光と光変換部材４３から出射した２次光とが透過する部材によって、形成されている。このような部材は、例えば、１次光と２次光とに対して透過率の高い光学的に透明な部材によって形成されている。この部材は、例えば、シリコーン樹脂やガラスや石英ガラスなどを示す。
【００４７】
なお光透過部材４７は、光変換部材４３が２次光を生成する際に発生する熱を外部に放出する部材によって、形成されてもよい。このような部材は、例えば、ガラスや、ガラス系の樹脂などを示す。
【００４８】
図１Ａと図２Ａと図２Ｂと図２Ｃとに示すように、光変換部材４３を有する光透過部材４７は、保持部６０において接着剤４８によって固定される。この接着剤４８は、１次光と２次光とが透過する光学的な性質を有しており、２次光を後述する反射部材６７に導光する。このような接着剤４８は、例えば、シリコーン系の接着剤である。接着剤４８は、例えば、後述する挿入部４７３の外周面と後述する挿入収容部６５３の内周面とに塗布される。
【００４９】
［光透過部材４７の形状］  
図１Ａと図１Ｂとに示すように、光透過部材４７は、例えば、三角フラスコのような形状を有している。よって光透過部材４７は、１次光入射部４１を含む後面４７ａを有し、光透過部材４７の一部に配設され、光透過部材４７の後方に配設される本体部４７１と、本体部４７１と同軸上に配設されるように本体部４７１と一体化しており、生成部材である光変換部材４３と光学的に接続するように光透過部材４７の他部に配設され、さらに光透過部材４７の前方に配設されている挿入部４７３とを有している。
【００５０】
本体部４７１の中心軸は、挿入部４７３の中心軸と同軸である。そして、本体部４７１の中心軸と挿入部４７３の中心軸とは、光透過部材４７の中心軸を形成している。光軸１１方向において、本体部４７１は、挿入部４７３よりも短い。
【００５１】
［本体部４７１］  
図１Ａと図１Ｂとに示すように、本体部４７１は、保持部６０の後述する本体嵌合部６５１に嵌合する。本体部４７１は、例えば円柱形状を有している。
【００５２】
図１Ａと図１Ｂとに示すように、前記したように本体部４７１は１次光入射部４１を含む後面４７ａを有するため、本体部４７１の直径は１次光出射部２１ａの直径よりも大きい。また本体部４７１の直径は、光変換部材４３の直径よりも小さい。
【００５３】
［挿入部４７３］  
図１Ａと図１Ｂとに示すように、挿入部４７３は、保持部６０の後述する挿入収容部６５３である挿入収容部６５３に挿入される。本体部４７１は、光軸１１方向において、本体部４７１から光変換部材４３に向かって、言い換えると後方から前方に向かって拡径する円錐台形状を有している。挿入部４７３には、光変換部材４３が配設されている。
【００５４】
図１Ａと図１Ｂとに示すように、挿入部４７３は、後面４７ａが露出し、本体部４７１が挿入部４７３と一体となるように載置されている上面４７３ａと、前面４７ｂとして機能し、上面４７３ａよりも大きい下面４７３ｂと、テーパ状の外周面４７３ｃとを有している。
【００５５】
上面４７３ａの直径は、本体部４７１の直径と同一である。  
下面４７３ｂは、係合凹部４７ｄを有している。  
外周面４７３ｃは、本体部４７１の外周面と連なっている。
【００５６】
なお、前記したように、光変換部材４３が光透過部材４７に埋設される場合、光変換部材４３は挿入部４７３に埋設されることが好適である。
【００５７】
［保持部６０］  
図１Ａと図１Ｃとに示すように、保持部６０は、１次光出射部２１ａと１次光入射部４１とが互いに光学的に接続するように、導光ユニット２０と照明ユニット４０とを保持する。保持部６０は、例えばセラミックやステンレスや真鍮やニッケルなどによって形成されている。
【００５８】
図１Ａと図１Ｃとに示すように、保持部６０は、光ファイバ２１の少なくとも１次光出射部２１ａが嵌合する導光嵌合部６１と、保持部６０の一端部に配設され、導光嵌合部６１と連通し、光ファイバ２１が導光嵌合部６１に挿入されるように光ファイバ２１を導光嵌合部６１にガイドするガイド口部６３とを有している。導光嵌合部６１の中心軸とガイド口部６３の中心軸とは、保持部６０の中心軸上に配設されている。
【００５９】
［導光嵌合部６１］  
図１Ａと図１Ｃとに示すように、導光嵌合部６１は、光ファイバ２１が嵌め込まれる例えば円柱形状を有する孔であり、光ファイバ２１が嵌め込まれる例えば円柱形状の中空部である。導光嵌合部６１の直径は、光ファイバ２１の直径と略同一、またはこれによりも微小に大きい。導光嵌合部６１は、径方向と傾斜方向とにおいて光ファイバ２１を位置決めする。このように導光嵌合部６１は、保持部６０が１次光出射部２１ａを含む光ファイバ２１を位置決め及び保持するために配設されている。
【００６０】
［ガイド口部６３］  
図１Ａに示すように、ガイド口部６３は、保持部６０の一端部から導光嵌合部６１に向かって縮径している円錐台形状を有しており、傾斜しているテーパとして形成されている。なお前述した被覆層２３は、ガイド口部６３付近にまで配設されているのみであり、導光嵌合部６１には挿入されない。このため光ファイバ２１の他端部は、被覆層２３から露出している。
【００６１】
ガイド口部６３には、接着部材６３ａが配設される。接着部材６３ａは、被覆層２３を含む光ファイバ２１の他端部側を保持部６０に接着する。接着部材６３ａは、被覆層２３にも配設される。接着部材６３ａは、例えば、シリコーンやエポキシ等の接着剤などである。
【００６２】
［収容部６５］  
また図１Ａと図１Ｃとに示すように、保持部６０は、光軸方向制御部材として機能する光透過部材４７を収容する収容部６５をさらに有している。収容部６５は、光透過部材４７が挿入及び嵌め込まれる孔であり、光透過部材４７が挿入及び嵌め込まれる中空部である。収容部６５は、導光嵌合部６１と連通しており、導光嵌合部６１と同一の保持部６０に配設されている。つまり保持部６０は、光ファイバ２１と照明ユニット４０とを一体で保持している。
【００６３】
詳細には、図１Ａと図１Ｃとに示すように、収容部６５は、光軸方向制御部材の一部である光透過部材４７の本体部４７１が嵌合し、収容部６５の一部に配設されている本体嵌合部６５１と、光軸方向制御部材の他部である光透過部材４７の挿入部４７３が挿入され、収容部６５の他部に配設されている挿入収容部６５３とを有している。このような収容部６５の中心軸は、保持部６０の中心軸上に配設されており、導光嵌合部６１の中心軸と同軸上に配設されている。
【００６４】
［本体嵌合部６５１］  
図１Ａと図１Ｃとに示すように、本体嵌合部６５１は、収容部６５の後方に配設されており、光軸１１方向において導光嵌合部６１と連通しており、円柱形状を有しており、本体部４７１が嵌合し、挿入部４７３よりも小さい。このため、本体嵌合部６５１の直径は、本体部４７１の直径と略同一、またはこれによりも微小に大きい。また本体嵌合部６５１は、光軸１１方向において、導光嵌合部６１と挿入収容部６５３とに挟持され、導光嵌合部６１と挿入収容部６５３とに連通している。本体嵌合部６５１の直径は、導光嵌合部６１の直径よりも大きい。
【００６５】
図１Ａと図１Ｃとに示すように、本体嵌合部６５１は、１次光出射部２１ａが１次光入射部４１と光学的に接続するように、本体部４７１と嵌合する。また光透過部材４７が収容部６５に挿入された際に、円柱形状の本体部４７１は、光変換部材４３の中心軸が光軸１１上に配設されるように、円柱形状の本体嵌合部６５１と嵌合する。
【００６６】
［収容部６５３］  
図１Ａと図１Ｃとに示すように、挿入収容部６５３は、収容部６５の前方に配設されており、挿入部４７３よりも大きく、挿入部４７３が挿入される。挿入収容部６５３は、光軸１１方向において、本体嵌合部６５１が配設される収容部６５の先端部から前方を示す制収容部６５の基端部に向かって拡径する円錐台形状を有している。
【００６７】
図１Ａと図１Ｄとに示すように、円錐台形状の挿入部４７３と、挿入部４７３よりも大きく、挿入部４７３が挿入される円錐台形状の挿入収容部６５３とにおいて、挿入部４７３が挿入収容部６５３に挿入された際に、挿入収容部６５３の内周面と挿入部４７３の外周面４７３ｃとの間に隙間部が形成されるように、挿入収容部６５３のテーパ角度θ１は、挿入部４７３のテーパ角度θ２よりも大きい。  
テーパ角度θ１は、例えば光軸１１と挿入収容部６５３の内周面との間に形成される角度を示す。  
テーパ角度θ２は、例えば光軸１１と挿入部４７３の外周面４７３ｃとの間に形成される角度を示す。
【００６８】
図１Ｃに示すように、前記したような一部である本体嵌合部６５１と他部である挿入収容部６５３とを備える収容部６５は、光透過部材４７の形状に倣って例えば三角フラスコのような形状を有している。
【００６９】
図１Ａに示すように、本体部４７１が本体嵌合部６５１と嵌合することによって、本体部４７１と本体嵌合部６５１とは径方向において１次光出射部２１ａと光変換部材４３との相対位置を位置決めし、本体部４７１が本体嵌合部６５１とは傾斜方向において１次光出射部２１ａと光変換部材４３との相対位置を位置決めする。詳細には、１次光出射部２１ａと１次光入射部４１とが互いに光学的に接続するように、本体部４７１が本体嵌合部６５１と嵌合することによって、１次光入射部４１は径方向と傾斜方向とにおいて位置決めされる。これに伴い、光透過部材４７の係合凹部４７ｄに係合されている光変換部材４３も、１次光入射部４１を有する光透過部材４７によって、径方向と傾斜方向とにおいて位置決めされる。このように、１次光出射部２１ａと導光嵌合部６１と本体部４７１と本体嵌合部６５１とは、径方向と傾斜方向とにおける１次光出射部２１ａと光変換部材４３との相対位置を制御することとなる。同時に光変換部材４３は、光軸方向制御部材として機能する光透過部材４７によって、光軸方向において位置決めされる。
【００７０】
そして、１次光出射部２１ａと１次光入射部４１とが互いに光学的に接続するように、導光嵌合部６１と収容部６５と１次光出射部２１ａと１次光入射部４１と光透過部材４７とは互いに同軸上に配設されている。
【００７１】
［反射部材６７］  
図１Ａに示すように、収容部６５は、挿入収容部６５３の内周面に配設されており、２次光を反射する反射部材６７を有している。反射部材６７は、光変換部材４３の後面４３ａ及び周面４３ｃと、挿入部４７３の周面４７３ｃとを覆うように配設されている。このため、反射部材６７は、光透過部材４７によって、光変換部材４３に対して離間して配設される。反射部材６７は、光変換部材４３の後面４３ａと周面４３ｃとから反射部材６７に向かって出射された２次光を前方である前面４７ｂに向かって反射する。これにより反射部材６７は、２次光の放射角を制御することとなる。
【００７２】
反射部材６７は、前記したように２次光をできる限り、前面４７ｂに向かって反射するように、２次光に対して高い反射率を有している。例えば２次光が可視光である場合、反射部材６７は、例えば、金や銀やアルミといった金属等の膜が成膜することによって、形成されている。または反射部材６７は、複数誘電体の膜が多層化することによって、形成されても良い。なお反射部材６７は、光透過部材４７の外周面全体に配設されていても良い。
【００７３】
また反射部材６７の表面は、図示しない保護膜によって保護されている。反射部材６７が銀やアルミといった金属によって形成される場合、これら金属が空気と接触することで酸化や硫化し、反射部材６７の反射率が低下することを、保護膜は防止する。また反射部材６７は非常に薄いため、反射部材６７の強度は低い。よって保護膜は、反射部材６７が他の部材と接触し、摩耗することを防止する。このような保護膜は、例えば、２次光の透過率が高く、機械的な強度も高い、ＳｉＯ２によって形成される。
【００７４】
［位置制御手段８０］  
また図１Ａと図１Ｂと図１Ｃとに示すように、光学デバイス１０は、１次光出射部２１ａと、生成部材である光変換部材４３との相対位置を制御する位置制御手段８０をさらに有している。位置制御手段８０は、光軸１１方向において相対位置を制御する光軸方向制御手段８１と、径方向において相対位置を制御する径方向制御手段８３と、傾斜方向において相対位置を制御する傾斜方向制御手段８５とを有している。
【００７５】
［光軸方向制御手段８１］  
図１Ａと図１Ｂとに示すように、光軸方向制御手段８１は、１次光入射部４１を有するように光軸１１方向において１次光入射部４１と光変換部材４３との間に配設されており、光軸１１方向における相対位置を所望に制御する光軸方向制御部材として機能する光透過部材４７を有している。光透過部材４７は、例えば、光軸１１方向における１次光入射部４１と後面４３ａとの間の光透過部材４７の長さＬ１を調節することによって、相対位置を所望に制御する。
【００７６】
［径方向制御手段８３・傾斜方向制御手段８５］  
図１Ａと図１Ｂと図１Ｃとに示すように、径方向制御手段８３と傾斜方向制御手段８５とは、１次光出射部２１ａと、光軸方向制御部材として機能する光透過部材４７において、１次光出射部２１ａと、光透過部材４７の一部である本体部４７１と、保持部６０に配設されている導光嵌合部６１と本体嵌合部６５１とを有している。
【００７７】
［作用］  
図２Ａに示すように、１次光出射部２１ａが本体嵌合部６５１の底面部と同一平面上に配設されるように、光ファイバ２１が導光嵌合部６１に嵌合する。図１Ａに示すように、光ファイバ２１は、ガイド口部６３において、接着部材６３ａによって保持部６０に接着される。
【００７８】
図１Ｂと図２Ａとに示すように、光変換部材４３を有する光透過部材４７において、光軸１１方向における光透過部材４７の長さＬ１によって、光軸１１方向における１次光入射部４１と光変換部材４３との相対位置は制御されている。
【００７９】
図２Ａに示すように、光透過部材４７が例えばガラスなどのような剛体である場合、接着剤４８は予め挿入収容部６５３の内周面に塗布されている。接着剤４８は、ごみや気泡などを含まないように、塗布される。光変換部材４３を有する光透過部材４７は、収容部６５に収容される。このとき本体部４７１は、光透過部材４７の先頭として、収容部６５に挿入される。円錐台形状の挿入収容部６５３において、本体部４７１は、挿入収容部６５３のテーパ状の内周面によってガイドされ、本体嵌合部６５１に進行する。  
このとき、本体部４７１と挿入部４７３とは、挿入収容部６５３よりも小さい。また、挿入収容部６５３のテーパ角度θ１は、挿入部４７３のテーパ角度θ２よりも大きい。このため、本体部４７１が前記したように本体嵌合部６５１に進行する際、挿入部４７３のテーパ状の外周面４７３ｃが挿入収容部６５３のテーパ状の内周面を摺動することが防止される。
【００８０】
そして、図２Ｂと図２Ｃとに示すように、１次光入射部４１が１次光出射部２１ａと光学的に接続するように、本体部４７１は本体嵌合部６５１に嵌合する。光軸１１方向における光透過部材４７の長さＬ１によって、アイセーフが確保されるように、光軸１１方向における１次光出射部２１ａと光変換部材４３との相対位置は制御される。
【００８１】
また図２Ｂと図２Ｃとに示すように、径方向と傾斜方向とにおいて、１次光出射部２１ａと光変換部材４３とがずれると、つまり心ずれが発生すると、１次光出射部２１ａから出射される１次光は、径方向において、光透過部材４７からずれてしまう。これにより、前記したように、１次光は、２次光に変換されず前面４７ｂから直接出射される、アイセーフの観点において、目に対して危険性を有する。  
しかしながら本実施形態では、本体部４７１が本体嵌合部６５１に嵌合することによって、アイセーフが確保されるように、径方向における１次光出射部２１ａと光変換部材４３との相対位置は制御される。  
また本体部４７１が本体嵌合部６５１に嵌合することによって、アイセーフが確保されるように、傾斜方向における１次光出射部２１ａと光変換部材４３との相対位置は制御される。
【００８２】
図２Ｃに示すように、前記した径方向と傾斜方向とにおける相対位置が制御されることによって、１次光出射部２１ａの中心軸と１次光入射部４１の中心軸と１次光入射部４１を含む後面４３ａの中心軸とは互いに同軸上に配設され、これら中心軸は光軸１１上に配設される。そして、光透過部材４７は、接着剤４８によって固定される。
【００８３】
これにより、１次光出射部２１ａは、安定的且つ高精度に１次光入射部４１と光学的に接続することとなる。そして、所望の光学特性が常に得られ、光学特性のばらつきは抑制され、光学デバイス１０が量産される際、光学デバイス１０の品質のばらつきが低減される。
【００８４】
［効果］  
このように本実施形態では、光軸方向制御手段８１と径方向制御手段８３と傾斜方向制御手段８５とを含む位置制御手段８０によって、１次光出射部２１ａと１次光入射部４１と光変換部材４３とが互いに安定的且つ高精度に位置決めされ、光学デバイスが量産される際において光学デバイス１０の品質のばらつきを低減でき、光学デバイス１０において所望の光学特性を得ることができる。
【００８５】
また本実施形態では、光軸方向制御手段８１の光軸方向制御部材として機能する光透過部材４７によって、光軸１１方向における相対位置を所望に制御できる。また本実施形態では、光透過部材４７が光軸１１方向において１次光出射部２１ａと光変換部材４３との間に介在していることで、確実に光軸１１方向における相対位置を制御できる。
【００８６】
また本実施形態では、光軸１１方向における光透過部材４７の長さＬ１によって、アイセーフを確保でき、光変換部材４３が２次光を生成する際、光変換部材４３が多量の発熱によって劣化してしまうことを防止できる。
【００８７】
また本実施形態では、径方向制御手段８３と傾斜方向制御手段８５として機能する１次光出射部２１ａと導光嵌合部６１と本体部４７１と本体嵌合部６５１とによって、径方向と傾斜方向とにおける相対位置を所望に制御できる。特に本実施形態では、１次光出射部２１ａが導光嵌合部６１と嵌合し、本体部４７１が本体嵌合部６５１と嵌合することによって、径方向と傾斜方向とにおける相対位置を位置決めできる。
【００８８】
また本実施形態では、光透過部材４７の本体部４７１と挿入部４７３と、本体嵌合部６５１と挿入収容部６５３とによって、安定的且つ高精度に、径方向と傾斜方向とにおける相対位置を位置決めできる。
【００８９】
また本実施形態では、円柱形状の本体部４７１と、円柱形状の本体嵌合部６５１とによって、さらに安定的且つ高精度に、径方向と傾斜方向とにおける相対位置を位置決めできる。
【００９０】
また本実施形態では、本体部４７１と挿入部４７３と本体嵌合部６５１とは挿入部４７３よりも小さく、テーパ角度θ１はテーパ角度θ２よりも大きい。これにより本実施形態では、本体部４７１が本体嵌合部６５１に進行する際、挿入部４７３のテーパ状の外周面４７３ｃが挿入収容部６５３のテーパ状の内周面を摺動することを防止でき、外周面４７３ｃと内周面とが互いを摩耗することを防止できる。
【００９１】
また本実施形態では、反射部材６７によって、２次光を２次光出射部４５に向けて反射でき、光の利用効率を向上できる。
【００９２】
また本実施形態では、係合凹部４７ｄによって、光変換部材４３の中心軸を光透過部材４７の中心軸上に容易に配設できる。
【００９３】
なお接着剤４８は、光透過部材４７が収容部６５に収容された後に、塗布されてもよい。
【００９４】
［変形例］  
図３に示すように、本変形例において、保持部６０は、複数に分かれており、光ファイバ２１が固定されるアダプタ部６０１と、導光嵌合部６１を有する導光保持部６０３と、収容部６５を有する収容保持部６０５と、１次光出射部２１ａと１次光入射部４１とが互いに光学的に接続するように、導光保持部６０３と収容保持部６０５とを位置決め及び固定するかしめ部６０７とを有している。
【００９５】
［アダプタ部６０１］  
アダプタ部６０１は、導光保持部６０３の端部が圧入されている圧入孔部６０１ａと、被覆層２３を含む光ファイバ２１が挿通する挿通孔６０１ｂと、ガイド口部６３と同様のガイド口部６０１ｃとを有する。ガイド口部６０１ｃを含む挿通孔６０１ｂには、被覆層２３を含む光ファイバ２１をアダプタ部６０１に固定する接着部材６３ａが配設される。
【００９６】
［導光保持部６０３］  
導光保持部６０３は、かしめ部６０７に圧入される。
【００９７】
導光保持部６０３において、光ファイバ２１が導光嵌合部６１に嵌合することによって、導光保持部６０３は光ファイバ２１を保持している。この時、導光保持部６０３の端面が１次光出射部２１ａと同一平面上に配設され、端面と１次光出射部２１ａとが光軸１１に対して直交する平面として形成され、端面と１次光出射部２１ａとが共に平滑となるように、導光保持部６０３の端面は１次光出射部２１ａと共に研磨される。
【００９８】
［収容保持部６０５］  
収容保持部６０５は、段付き形状に形成されており、このため例えば凸形状の外形を有している。このような収容保持部６０５は、一端部６０５ａと、一端部６０５ａと一体であり、一端部６０５ａよりも大きい（太い）他端部６０５ｂとから構成されている。一端部６０５ａと他端部６０５ｂとは、例えば円柱形状を有している。この場合、一端部６０５ａは細径部として形成され、他端部６０５ｂは太径部として形成されている。
【００９９】
本体嵌合部６５１は一端部６０５ａに配設されており、挿入収容部６５３は一端部６０５ａと他端部６０５ｂとに配設されている。
【０１００】
一端部６０５ａはかしめ部６０７に圧入され、他端部６０５ｂはかしめ部６０７の外部に配設される。一端部６０５ａの直径は、導光保持部６０３の直径と略同一である。
【０１０１】
また収容保持部６０５において、本体部４７１が本体嵌合部６５１に嵌合することによって、収容保持部６０５は光透過部材４７を保持している。この時、収容保持部６０５の一端部６０５ａにおける端面が１次光入射部４１を含む後面４７ａと同一平面上に配設され、端面と１次光入射部４１を含む後面４７ａとが光軸１１に対して直交する平面として形成され、端面と１次光入射部４１を含む後面４７ａとが共に平滑となるように、収容保持部６０５の一端部６０５ａの端面は１次光入射部４１を含む後面４７ａと共に研磨される。
【０１０２】
［かしめ部６０７］  
かしめ部６０７は、例えば、ジルコニアやニッケルやリン青銅などのバネ材によって形成されており、弾性変形するための弾性力を有している。
【０１０３】
導光保持部６０３の端部と収容保持部６０５の一端部６０５ａとは、１次光出射部２１ａを含む導光保持部６０３の端面が後面４７ａを含む収容保持部６０５の一端部６０５ａの端面と当接し、１次光出射部２１ａが１次光入射部４１と光学的に当接するように、かしめ部６０７に圧入され、かしめ部６０７に嵌合する。
【０１０４】
このようにかしめ部６０７は、位置決め部材でもあり、連結部材でもある。かしめ部６０７は、かしめ部６０７の断面の一部分が切り欠かかるように、形成されている。またかしめ部６０７は、圧入時において、かしめ部６０７が導光保持部６０３の端部と収容保持部６０５の一端部６０５ａとを径方向に締め付ける力を弱めるために、かしめ部６０７の断面の一部分が切り欠かかるように、形成されている。このため例えばかしめ部６０７は、一部分が切り欠かれた断面を、軸方向に連続して有する略円筒部材として、形成されている。この断面は、かしめ部６０７の軸方向に対して直交する平面方向に形成されている。またこの断面は、例えばＣ字形状に形成されている。このためかしめ部６０７は、例えばＣ字形状の断面を、軸方向に連続して有する略円筒形状として、形成されている。このようなかしめ部６０７は、円の一部が切り欠けられた割りスリーブとなっている。よってかしめ部６０７は、かしめ部６０７の軸方向に沿って配設され、軸方向においてかしめ部６０７を貫通している図示しないスリット部を有している。スリット部は、かしめ部６０７の厚み方向において、かしめ部６０７を貫通している。
【０１０５】
なお、光軸１１方向において、１次光出射部２１ａが１次光入射部４１との間には、図示しない屈折率整合部材が配設される。屈折率整合部材は、光軸１１方向において１次光出射部２１ａと１次光入射部４１との間、且つ光路上において空気が入ることで光結合効率が低下することを防止するために配設されている。屈折率整合部材の屈折率は、光ファイバ２１の屈折率と光透過部材４７の屈折率とに近似している。屈折率整合部材は、例えばマッチングオイルなどの液体やシリコーン樹脂等の固体である。
【０１０６】
［効果］  
このように本変形例では、部品点数が増えるが、導光保持部６０３と収容保持部６０５とかしめ部６０７とが高い寸法精度を有することによって、より安定的且つより高精度に、径方向と傾斜方向とにおける相対位置を位置決めできる。
【０１０７】
また本変形例では、部品点数が増えるが、それぞれを容易且つ高精度に加工でき、部品の１つあたりのコストを低減でき、容易に組み立てることができる。
【０１０８】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１０９】
１０…光学デバイス、１１…光軸、２０…導光ユニット、２１…光ファイバ、２１ａ…１次光出射部、４０…照明ユニット、４１…１次光入射部、４３…光変換部材、４５…１次光出射部、４７…光透過部材、６０…保持部、６１…導光嵌合部、６５…制御嵌合部、８０…位置制御手段、８１…光軸方向制御手段、８３…径方向制御手段、８５…傾斜方向制御手段、８５…傾斜方向置制御手段、４７１…本体部、４７３…挿入部、６５１…本体嵌合部、６５３…挿入収容部。
【図１Ａ】
2014174192.tif 000003
【図１Ｂ】
2014174192.tif 000004
【図１Ｃ】
2014174192.tif 000005
【図１Ｄ】
2014174192.tif 000006
【図２Ａ】
2014174192.tif 000007
【図２Ｂ】
2014174192.tif 000008
【図２Ｃ】
2014174192.tif 000009
【図３】
2014174192.tif 000010